(57)【要約】【課題】送風機とリング灯とをうまく組み合わせて、効果的に丸い風と丸い光を得る送風機付き照明装置を提供する。【解決手段】送風機付き基礎体１にリング蛍光灯２が設けられ、リング蛍光灯２には透明ドーナツカバー３が設けられ、該透明ドーナツカバー３には噴射孔３０が環状に設けられ、前記送風機からのエアーが下方から透明ドーナツカバー３に設けられた環状噴射孔３０からドーナツ形状に噴出され、該透明ドーナツカバー３で曲面境界層効果が得られるような構成【選択図】図１
2011181212.tif 000002
【特許請求の範囲】
【請求項１】
送風機を持つ基礎体１の上部にリング灯２が設けられ、該リング灯２には透明ドーナツカバー３が脱着自在に被せられてリング送風しうるようになされて成ることを特徴とする送風機付き照明装置
【請求項２】
上記透明ドーナツカバー３には噴射孔３０が設けられ、上記送風機からの空気を該噴射孔３０からリング状に噴射しうるようになされてなる請求項１記載の送風機付き照明装置
【請求項３】
上記噴射孔３０が透明ドーナツカバー３の内周側に全周に設けられ、噴射流が透明ドーナツカバー３の内周側に沿ってリング状に送風されるようになされてなる請求項１〜２記載の送風機付き照明装置
【請求項４】
上記噴射孔３０が透明ドーナツカバー３の内周側と外周側にスリット形状に設けられ、噴射流が透明カバー３の内周側と外周側に沿ってリング状に送風されるようになされてなる請求項１〜２に記載の送風機付き照明装置
【請求項５】
送風機を外部に持つ基礎体１の該送風機の周りにリング灯２が配設されて成ることを特徴とする請求項１に記載の送風機付き照明装置
【請求項６】
上記リング灯２が環状蛍光灯であることを特徴とする請求項１〜５に記載の送風機付き照明装置
【請求項７】
送風機付き基礎体１の内部に送風機が設けられ、透明ドーナツカバー３の下部からエアが送り込まれて成ることを特徴とする請求項１〜４の送風機付き照明装置
【請求項８】
送風機付き基礎体１の外部に送風機が設けられ、透明ドーナツカバー３の
ドーナツ孔内に前記送風機が配設されて成ることを特徴とする請求項１に記載の送風機付き照明装置
【発明の詳細な説明】
【技術分野】
【０００１】
本発明は、照明装置に関しており、詳しくは送風機付き照明装置に関している。
【背景技術】
【０００２】
従来の扇風機に、ダイソン社のエアマルチプライアが知られている。しかしこれにリング蛍光灯の照明装置のついたものは無かった。
【０００３】
また、風で膨らむちょうちんライト（特開２００５−２０９４２５号）があるが、扇風機能力はなかった。
【先行技術文献】
【特許文献】
【０００４】
【特許文献１】特開２００９−６２９８６号公報
【特許文献２】特開２００９−６２９８７号公報
【特許文献３】特開２００５−２０９４２５号公報
【特許文献４】特開２００５−１４０３６４号公報
【特許文献５】特開２０００−１６７０３５号公報
【非特許文献】
【０００５】
【非特許文献１】古瀬幸広の実験工房JAN.2010-TRENDY106
【発明の概要】
【発明が解決しようとする課題】
【０００６】
上記従来の送風機付照明器具は風量も照明も弱く、扇風機として作動させるのに風量が少なく、能力不充分であった。
【課題を解決するための手段】
【０００７】
本発明は、従来の非力な送風機付き照明器具の欠点を解消し、リング蛍光灯の照明器具にダイソンの扇風機と同等のものを組み合わせた新規発明を提供することで上記課題を解決する。
【発明の効果】
【０００８】
本発明は、送風機つき基礎体１にリング蛍光灯２、及びこれを覆う透明ドーナツカバー３を脱着自在に設け、リング送風しうるようにした事で、強力な風と強力な光を同時に得ることに成功した。
【０００９】
本発明請求項１のものでは、送風機を持つ基礎体１の上部にリング灯２が設けられ、該リング灯２には透明ドーナツカバー３が脱着自在に被せられてリング送風しうるようになされて成るから、送風機からのエアーが透明ドーナツカバー３の内側曲面境界層効果により増速増量されて強力なドーナツ型リング風が得られる利点がある。
【００１０】
本発明請求項２のものでは、上記透明ドーナツカバー３には噴射孔３０が設けられ、上記送風機からの空気を該噴射孔３０からリング状に噴射しうるようになされてなるから、噴射孔からのエアーは透明ドーナツカバー３の内側曲面境界層効果により周囲の空気を大量に巻き込んで強力なリング風を起こす利点がある。
【００１１】
本発明請求項３のものでは、上記噴射孔３０が透明ドーナツカバー３の内周側に全周に設けられ、噴射流が透明ドーナツカバー３の内周側に沿ってリング状に送風されるようになされてなるから、該透明ドーナツカバー３の内側曲面境界層効果により、飛行機固定翼の揚力発生メカニズムと同様に中央孔部分に川の流れのような通過流が発生し、より強力な送風を発生させる利点がある。
【００１２】
本発明請求項４のものでは、上記噴射孔３０が透明ドーナツカバー３の内周側と外周側にスリット形状に設けられ、噴射流が透明カバー３の内周側と外周側に沿ってリング状に送風されるようになされてなるから、リング内方のみならず、リング外方からも、周囲のエアーを大量に巻き込み、これらを合計した強力送風を発生させることが出来る。
【００１３】
本発明請求項５のものでは、送風機を外部に持つ基礎体１の該送風機の周りにリング灯２が配設されて成るから、送風機がリング灯２内にうまく納まり、ダクト送風効果で送風量が倍増すると共に、容積効率の良いコンパクトなデザインの送風機付き照明装置になっている。
【００１４】
本発明請求項６のものでは、上記リング灯２が環状蛍光灯であるから、市販の環状蛍光灯がそのまま採用でき、安価に製品化できるので便利である。
【図面の簡単な説明】
【００１５】
【図１】第１実施例の正面図
【図２】その側面図
【図３】一部端面図
【図４】第２実施例の正面図
【図５】その側面図
【図６】一部端面図
【図７】第３実施例の正面図
【図８】その側面図
【図９】第４実施例の図面
【発明を実施するための形態】
【００１６】
本発明送風機付き照明装置は、図示されるように、送風機が基礎体１に内蔵されるタイプと、送風機が基礎体１の外部に設けられるタイプとがある。
【実施例１】
【００１７】
図１〜図３に第１実施例の詳細を示す。
送風機を内側に持つ基礎体１はその上部に蛍光リング灯２を垂直に立てて配設しており、この蛍光リング灯２を透明ドーナツカバー３で覆っている。透明ドーナツカバー３はリング形状であって、先のリング灯２よりもやや大きい寸法のドーナツカバーとなされている。
この透明ドーナツカバーは太目の透明ホースを腹裂きして加工されている。
【００１８】
３０は内周及び後方に形成された多数の噴射孔であって、ドーナツカバー３の内周に沿って環状にスリット形成され内側曲面境界層効果で大量の周辺空気を巻き込み後方へ送り出すものと、後面に丸穴形成されジェット噴射効果をもたらすものとの２種類設けられ、先の送風機から圧送された空気をこの２種類の噴射孔からリング状に後方に噴出するようになされている。
【００１９】
４はスイッチであり、５は蛍光リング灯の点灯管である。６は蛍光リング管の支持体で、透明ドーナツカバー３内で蛍光リング管を中央に保持している。
７は時計であり、中空の蛍光リング灯の内側中央に配設され、長針及び短針がぐるぐる回るようになされている。この場合、数字文字は透明ドーナツカバー３の外面の貼着されている。
【００２０】
上記構造の送風機付き照明装置では、スイッチ４を押して基礎体１内蔵の送風機を作動させ透明ドーナツカバー３の下通路からエアーを送って噴射孔３０から吹き出させる。且つ、点灯管５を点滅させて蛍光リング灯２を点灯させ、透明ドーナツカバー３を透過して明るく照らす。点灯管５は交換することが出来、蛍光リング灯２も交換することが出来る。
中央孔の時計７は、送風機付き照明装置のオプション付属品であるが、タイマーを仕込んだり、アラームを仕込んだり出来るようになされている。
【実施例２】
【００２１】
本発明第２実施例を図４〜６に示す。
送風機付き基礎体１の上部に蛍光リング灯２が立設され、これに透明ドーナツカバー３が被されている。透明ドーナツカバー３には外全周及び内全周に噴射孔３０がスリット形状に２組が形成されており、内側曲面境界層効果と外側曲面境界層効果が得られる構成である。更に後側面にも丸穴形状に多数個環状に形成され、ジェット噴流効果が得られる。
透明ドーナツカバー３の外全周に設けられたスリットからの噴射流と、内全周に設けられたスリットからの噴射流とが、カルマン渦を起こしながら後方に送られる仕組みである。
２３はスリット部分に形成された蛍光リング灯２の押さえ部分であり、透明ドーナツカバー３と一体に形成されている。
【００２２】
４はスイッチ、５は点灯管である。
８は丸鏡であり、透明ドーナツカバー３の内側中央にスイング可能に配設されている。化粧するときに、顔を風で乾かすことが出来て便利である。
【００２３】
上記第２実施例では、透明ドーナツカバー３の噴射孔３０が、ドーナツ内全周のみならずドーナツ外全周にもスリット状に形成されているから、ドーナツ内方の空気のみならず、ドーナツ外方の空気も巻き込んで、曲面境界層効果で強力な巻き込み大量送風を得ることが出来、カルマン渦がドーナツ状に発生して脈動のある心地よい揺らぎのある送風となる利点がある。
【実施例３】
【００２４】
図７〜図８に第３実施例を示す。
本送風機付き照明装置では、基礎体１の外部にプロペラ形の送風機が設けられ、このプロペラ型送風機の外周に蛍光リング灯２が配設されてダクト送風倍増効果が得られるようになされ、該蛍光リング灯２の外周にこれを保護する透明ドーナツカバー３が設けられている。４はスイッチ、５は点灯管である。
【００２５】
上記構造の送風機付き照明装置では、外部に設けられた送風機の外周に蛍光リング灯２が設けられているから、すっぽり収まって容積効率がよい上、透明ドーナツカバー３のダクトファン効果で送風効率が倍増し、丸い風と丸い光を最も効率よく大量に送り出すことが出来る。
【００２６】
本発明におけるリング灯２は市販の蛍光リング灯をそのまま流用するのが、安価で望ましい。この場合、点灯管を必要とするものと、点灯管不要のインバーター蛍光灯でもよい。またリング灯は２は、LED照明リング灯でもよく、光ファイバーリング灯でもよい。
【符号の説明】
【００２７】
１  送風機付き基礎体
２  リング灯
３  透明ドーナツカバー
４  スイッチ
５  点灯管
１０  送風機
１２  通路
３０  噴射孔
【図１】
2011181212.tif 000003
【図２】
2011181212.tif 000004
【図３】
2011181212.tif 000005
【図４】
2011181212.tif 000006
【図５】
2011181212.tif 000007
【図６】
2011181212.tif 000008
【図７】
2011181212.tif 000009
【図８】
2011181212.tif 000010
【図９】
2011181212.tif 000011